(57)【要約】【課題】業務行為間で情報を共有しやすく、一連の業務を円滑に実行できる放射線治療業務管理システムおよび放射線治療業務管理方法を提供する。【解決手段】格納手段１４は、治療前情報入力手段１２および治療実施情報入力手段１３により入力された治療前情報および治療実施情報を患者に対応付けて格納する。参照手段１５は、格納手段１４に格納された治療前情報および治療実施情報を、患者をキーとして検索し、ユーザに参照させる。入力支援手段１６は、治療前情報入力手段１２また治療実施情報入力手段１３による治療前情報入力手段または治療実施情報の入力に際して、当該入力に必要な情報を参照手段１５によりユーザに参照させることで当該入力を支援する。【選択図】図１
2008262428.tif 000002
【特許請求の範囲】
【請求項１】
放射線治療業務に必要な情報を管理する放射線治療業務管理システムにおいて、
放射線治療前に治療方針または治療計画に関する情報である治療前情報を入力する治療前情報入力手段と、
放射線治療の実施に関する情報である治療実施情報を入力する治療実施情報入力手段と、
前記治療前情報入力手段および前記治療実施情報入力手段により入力された前記治療前情報および前記治療実施情報を患者に対応付けて格納する格納手段と、
前記格納手段に格納された前記治療前情報および前記治療実施情報を、患者をキーとして検索し、ユーザに参照させる参照手段と、
を備えることを特徴とする放射線治療業務管理システム。
【請求項２】
前記治療実施情報は、放射線照射予約に関する情報または放射線照射実績に関する情報であることを特徴とする請求項１に記載の放射線治療業務管理システム。
【請求項３】
前記治療前情報入力手段また前記治療実施情報入力手段による前記治療前情報入力手段または前記治療実施情報の入力に際して、当該入力に必要な情報を前記参照手段によりユーザに参照させることで当該入力を支援する入力支援手段を備えることを特徴とする請求項１または２に記載の放射線治療業務管理システム。
【請求項４】
放射線治療業務に必要な情報を管理する放射線治療業務管理システムにおいて、
実施した放射線治療に関する情報である放射線治療実績を患者に対応付けて順次格納する格納手段と、
前記格納手段に格納された前記放射線治療実績を、患者をキーとして検索し抽出することで、当該患者に対する放射線の総線量を身体部位ごとに管理する総線量管理手段と、
を備えることを特徴とする放射線治療業務管理システム。
【請求項５】
放射線治療業務に必要な情報を管理する放射線治療業務管理方法において、
放射線治療前に治療方針または治療計画に関する情報である治療前情報を入力するステップと、
放射線治療の実施に関する情報である治療実施情報を入力するステップと、
入力された前記治療前情報および前記治療実施情報を患者に対応付けて格納するステップと、
格納された前記治療前情報および前記治療実施情報を、患者をキーとして検索し、ユーザに参照させるステップと、
を備えることを特徴とする放射線治療業務管理方法。
【請求項６】
放射線治療業務に必要な情報を管理する放射線治療業務管理方法において、
実施した放射線治療に関する情報である放射線治療実績を患者に対応付けて順次格納するステップと、
格納された前記放射線治療実績を、患者をキーとして検索し抽出することで、当該患者に対する放射線の総線量を身体部位ごとに管理するステップと、
を備えることを特徴とする放射線治療業務管理方法。
【発明の詳細な説明】
【技術分野】
【０００１】
本発明は、放射線治療業務に必要な情報を管理する放射線治療業務管理システムおよび放射線治療業務管理方法に関する。
【背景技術】
【０００２】
放射線治療業務は、シミュレーション（位置決め）、治療計画、複数回にわたる照射予約、受付、照射予約に即した照射実施、各帳票作成など、種々の業務行為を医師、技師、看護士あるいは受付など、役割の異なる従事者が実施する。これら種々の業務は、一患者に対する一治療行為について一連の業務として実施されるべきものであるから、各業務の実施状況を把握するためにその進捗管理もまた必要な業務行為となる。
【０００３】
これらの業務を支援する放射線治療業務管理システムとして、治療計画、照射予約、受付、照射実施、各種帳票作成など、放射線治療業務の各業務行為で発生する情報を登録し、予約を取得し、あるいは病院情報システムとの間での情報のやりとりを実行するなどの各機能がそれぞれ設けられたシステムが知られている。
【特許文献１】特開２００３−１７５１１９号公報
【発明の開示】
【発明が解決しようとする課題】
【０００４】
しかし、従来のシステムでは、一連の業務が複数の機能に分割されており、しかも各機能を用いる従事者が種々となるため、業務の進捗状況を把握することが困難となる。また、異なる機能間で情報を共有する機能が弱く、一連の業務行為を円滑に行うことができないという問題がある。
【０００５】
本発明の目的は、業務行為間で情報を共有しやすく、一連の業務を円滑に実行できる放射線治療業務管理システムおよび放射線治療業務管理方法を提供することにある。
【課題を解決するための手段】
【０００６】
本発明の放射線治療業務管理システムは、放射線治療業務に必要な情報を管理する放射線治療業務管理システムにおいて、放射線治療前に治療方針または治療計画に関する情報である治療前情報を入力する治療前情報入力手段と、放射線治療の実施に関する情報である治療実施情報を入力する治療実施情報入力手段と、前記治療前情報入力手段および前記治療実施情報入力手段により入力された前記治療前情報および前記治療実施情報を患者に対応付けて格納する格納手段と、前記格納手段に格納された前記治療前情報および前記治療実施情報を、患者をキーとして検索し、ユーザに参照させる参照手段と、を備えることを特徴とする。
この放射線治療業務管理システムによれば、放射線治療前に治療方針または治療計画に関する情報である治療前情報および放射線治療の実施に関する情報である治療実施情報を患者に対応付けて格納し、格納された治療前情報および治療実施情報を、患者をキーとして検索し、ユーザに参照させることができるので、業務行為間で情報を共有しやすく、一連の業務を円滑に実行できる。
【０００７】
前記治療実施情報は、放射線照射予約に関する情報または放射線照射実績に関する情報であってもよい。
【０００８】
前記治療前情報入力手段また前記治療実施情報入力手段による前記治療前情報入力手段または前記治療実施情報の入力に際して、当該入力に必要な情報を前記参照手段によりユーザに参照させることで当該入力を支援する入力支援手段を備えてもよい。
【０００９】
本発明の放射線治療業務管理システムは、放射線治療業務に必要な情報を管理する放射線治療業務管理システムにおいて、実施した放射線治療に関する情報である放射線治療実績を患者に対応付けて順次格納する格納手段と、前記格納手段に格納された前記放射線治療実績を、患者をキーとして検索し抽出することで、当該患者に対する放射線の総線量を身体部位ごとに管理する総線量管理手段と、を備えることを特徴とする。
この放射線治療業務管理システムによれば、実施した放射線治療に関する情報である放射線治療実績を患者に対応付けて順次格納し、格納された前記放射線治療実績を、患者をキーとして検索し抽出することで、当該患者に対する放射線の総線量を身体部位ごとに管理するので、部位別被照射線量を高精度かつ容易に管理できる。
【００１０】
本発明の放射線治療業務管理方法は、放射線治療業務に必要な情報を管理する放射線治療業務管理方法において、放射線治療前に治療方針または治療計画に関する情報である治療前情報を入力するステップと、放射線治療の実施に関する情報である治療実施情報を入力するステップと、入力された前記治療前情報および前記治療実施情報を患者に対応付けて格納するステップと、格納された前記治療前情報および前記治療実施情報を、患者をキーとして検索し、ユーザに参照させるステップと、を備えることを特徴とする。
この放射線治療業務管理方法によれば、放射線治療前に治療方針または治療計画に関する情報である治療前情報および放射線治療の実施に関する情報である治療実施情報を患者に対応付けて格納し、格納された治療前情報および治療実施情報を、患者をキーとして検索し、ユーザに参照させることができるので、業務行為間で情報を共有しやすく、一連の業務を円滑に実行できる。
【００１１】
本発明の放射線治療業務管理方法は、放射線治療業務に必要な情報を管理する放射線治療業務管理方法において、実施した放射線治療に関する情報である放射線治療実績を患者に対応付けて順次格納するステップと、格納された前記放射線治療実績を、患者をキーとして検索し抽出することで、当該患者に対する放射線の総線量を身体部位ごとに管理するステップと、を備えることを特徴とする。
この放射線治療業務管理方法によれば、実施した放射線治療に関する情報である放射線治療実績を患者に対応付けて順次格納し、格納された前記放射線治療実績を、患者をキーとして検索し抽出することで、当該患者に対する放射線の総線量を身体部位ごとに管理するので、部位別被照射線量を高精度かつ容易に管理できる。
【発明の効果】
【００１２】
本発明の放射線治療業務管理システムによれば、放射線治療前に治療方針または治療計画に関する情報である治療前情報および放射線治療の実施に関する情報である治療実施情報を患者に対応付けて格納し、格納された治療前情報および治療実施情報を、患者をキーとして検索し、ユーザに参照させることができるので、業務行為間で情報を共有しやすく、一連の業務を円滑に実行できる。
【００１３】
本発明の放射線治療業務管理システムによれば、実施した放射線治療に関する情報である放射線治療実績を患者に対応付けて順次格納し、格納された前記放射線治療実績を、患者をキーとして検索し抽出することで、当該患者に対する放射線の総線量を身体部位ごとに管理するので、部位別被照射線量を高精度かつ容易に管理できる。
【００１４】
本発明の放射線治療業務管理方法によれば、放射線治療前に治療方針または治療計画に関する情報である治療前情報および放射線治療の実施に関する情報である治療実施情報を患者に対応付けて格納し、格納された治療前情報および治療実施情報を、患者をキーとして検索し、ユーザに参照させることができるので、業務行為間で情報を共有しやすく、一連の業務を円滑に実行できる。
【００１５】
本発明の放射線治療業務管理方法によれば、実施した放射線治療に関する情報である放射線治療実績を患者に対応付けて順次格納し、格納された前記放射線治療実績を、患者をキーとして検索し抽出することで、当該患者に対する放射線の総線量を身体部位ごとに管理するので、部位別被照射線量を高精度かつ容易に管理できる。
【発明を実施するための最良の形態】
【００１６】
以下、図１を参照して、本発明による放射線治療業務管理システムの一実施形態について説明する。
【００１７】
図１は、本実施形態の放射線治療業務管理システムの構成を示すブロック図である。
【００１８】
図１に示すように、本実施形態の放射線治療業務管理システム１は、外部装置との間でデータを送受信するインタフェース１１と、放射線治療前に治療方針または治療計画に関する情報である治療前情報を入力する治療前情報入力手段１２と、放射線治療の実施に関する情報である治療実施情報を入力する治療実施情報入力手段１３と、治療前情報入力手段１２および治療実施情報入力手段１３により入力された治療前情報および治療実施情報を患者に対応付けて格納する格納手段１４と、格納手段１４に格納された治療前情報および治療実施情報を、患者をキーとして検索し、ユーザに参照させる参照手段１５と、治療前情報入力手段１２また治療実施情報入力手段１３による治療前情報入力手段または治療実施情報の入力に際して、当該入力に必要な情報を参照手段１５によりユーザに参照させることで当該入力を支援する入力支援手段１６と、各種の診療情報を従事者に向けてＷＥＢ配信するＷＥＢ配信部１７と、を備える。
【００１９】
図１に示すように、放射線治療業務管理システム１には、インタフェース１１を介して電子カルテ２１、治療計画装置２２、画像管理装置２３、照合装置２４、デジタルカメラ２５およびＣＲ装置２６が接続される。
【００２０】
インタフェース１１は、電子カルテ２１から治療依頼オーダ、撮影オーダ（シミュレーション）、患者情報を受信するとともに、電子カルテ２１に向けて予約、受付実施、照射・撮影の実施に関する情報および会計情報を送信する。治療計画装置２２からは、インタフェース１１に向けて計画画像、計画情報が送信される。インタフェース１１は、放射線照射装置２４に向けて患者情報、予約情報、フィールド情報、照射実施情報を送信する。また、インタフェース１１は、デジタルカメラ２５から患者の体位などのセットアップ画像を受信する。ＣＲ装置２６は、インタフェース１１に向けて患者ＩＤ、検査情報をＭＷＭにより送信する。
【００２１】
次に、放射線治療業務管理システム１の動作について、放射線治療業務の流れに沿って説明する。
【００２２】
当該ガン疾患の治療開始の起点となる治療依頼オーダが発生すると、当該オーダがインタフェース１１を介して取得され、格納手段１４のオーダ一覧にリストされる。医師であるユーザは、治療計画装置２２を用いて、オーダ一覧から特定のオーダを選択し、オーダの内容が表示された画面から治療方針を作成、入力する。治療方針は、基本的な治療方針、照射方法、目的など治療の全体方針にかかわる情報である。治療方針は、個々の患者の原発に対応付けて登録される。
【００２３】
治療方針の入力項目例は以下の通りである。
（１）治療種別：照射の方法が指定される。外照射、ＲＡＬＳ、密閉小線源など、今回の治療の照射方法が含まれる。
（２）今回の治療：どのような病態に対する治療かが指定される。新鮮、転移、再発など。
（３）治療方針：根治、姑息など。
（４）治療方法：手術＋照射など、今回の疾病に対する全体術式。
（５）照射方針：根治、姑息、あるいは、治療方法全体の中での照射についての方針など。
（６）治療開始ＰＳ：患者の状態。
（７）治療方針時コメント：医師のコメント。
（８）原発部位：今回の疾患対象の原発情報。
（９）治療部位情報：部位名、年度、前頭語（ｃ、ｐ、ｒ）、原発ＴＮＭ分類、Ｇ（治療対象部位のＧ）、期（治療対象部位の期）、病巣（原発＋移転など、病巣の病態）、予定総線量（治療対象部位の今回治療の予定総線量）。
【００２４】
これらの入力項目は、以下の検索項目と結合される。
（１）日付：治療オーダの発生日および検索条件の最終日。
（２）患者ＩＤ：治療オーダの対象患者ＩＤ。
（３）患者名：治療オーダの対象患者の漢字氏名。
（４）患者カナ名：治療オーダの対象患者のカナ氏名。
（５）治療方針作成有無：治療方針未作成／治療方針作成済の特定。
（６）プラン作成有無：プラン未作成／プラン作成済の特定。
（７）治療開始報告作成有無：治療開始報告未作成／治療開始報告作成済の特定。
（８）治療経過報告作成有無：治療経過報告未作成／治療経過報告作成済の特定。
（９）治療終了報告作成有無：治療終了報告未作成／治療終了報告作成済の特定。
（１０）依頼科：治療依頼オーダ依頼科。
（１１）担当医：治療依頼オーダ依頼時の担当医。
（１２）入院／外来：入院患者／外来患者の特定。
【００２５】
治療計画装置２２を用いて入力された治療方針の入力項目および検索項目は、インタフェース１１を介して放射線治療業務管理システム１に取り込まれ、治療前情報入力手段１２により格納手段１４に格納される。治療方針の入力項目は、「治療前情報」に該当する。
【００２６】
次に、ユーザは、治療計画装置２２を用いて、照射基本情報を画面上で入力することができる。照射基本情報は、治療方針をより具体化したプラン情報であり、「治療前情報」に該当する。照射基本情報は、治療部位ごとに１つ作成される。
【００２７】
照射基本情報の入力時には、すでに格納手段１４に格納されている治療方針が、入力支援手段１６によって、参照手段１５およびインタフェース１１を介して治療計画装置２２に取り込まれ、その情報が適宜画面上に表示されるとともに、照射基本情報の入力項目に引き継がれる。治療方針は、患者ＩＤを含む上記の検索項目の任意の組み合わせを検索キーとして検索することができ、この場合、参照手段１５は検索、抽出された治療方針（照射基本情報）を治療計画装置２２に与える。ユーザは治療計画装置２２の画面上で治療方針を参照することができる。
【００２８】
照射基本情報の入力項目例は以下の通りである。
（１）照射種別：治療対象となる部位への照射方法。基本的に治療方針で決められた治療種別を引き継ぐ。
（２）照射詳細種別：照射方法に鑑みて具体的な照射方法を再度定義したもの。初期表示は、上記照射種別を引き継いで表示。
（３）照射室：照射をする部屋。病態によって最適な線を出力できる治療機がおのずと決まるため、病態に応じた部屋が選択される。
（４）治療部位：治療対象部位。治療方針で決められた治療部位が表示される。複数の治療部位を治療方針で入力した場合には、その中から１つの部位を選択するための治療部位一覧が表示される。
（５）照射部位：照射対象部位。治療方針で決められた照射部位が初期表示されるが、変更が可能である。
（６）照射方法：詳細な照射方法。例えば、治療種別が外照射であれば、対向２門、対向４門などと指定できる。
（７）線質：照射線の線質
（８）１回線量
（９）１日２回照射：１日２回照射する場合に指定するフラグ。
（１０）予定総線量：本プランで照射する予定総線量。
（１１）累積線量：本プランで実際に照射が実施された場合に予定される累積線量。
（１２）照射回数：予定照射回数。
（１３）累積線量対象：一治療方針に紐付く同一治療部位に対する総線量を管理する。一治療方針について複数プランがある場合、本プランを含む複数プランについての総線量を対象とする。
（１４）リスク臓器：治療対象部位への照射野がリスク臓器にかかる場合、その情報を定義する。
（１５）開始日
（１６）終了予定日
（１７）照射スケジュール：一週間単位で照射日を指定する照射スケジュール。
（１８）照射期間：開始日と予定回数とスケジュールから決まる期間。
（１９）実績照射期間：本プランで実際に照射が実施された場合に予定される総照射期間。照射のたびに更新される。
（２０）実績開始日：実際の照射開始日。
（２１）実績終了日：実際の照射終了日。
（２２）画像：線量分布図などの画像。一般に計画画像と呼ばれるもの。ＤＩＣＯＭビューアから取得でき、取得した画像一覧のサムネイル表示からクリックで選択した元画像が、ＤＣＯＭビューア上に表示される。
（２３）セットアップ：固定具など治療補助具の名称、治療補助具に対する属性（例えば、大、中、小）、治療補助具の個数、単位、セットアップ画像（例えば、患者が治療機のベッドで実際の照射を受ける体位の様をデジタルカメラ２５で撮影した画像）など。
（２４）フィールド情報：治療装置や、治療機の門のパラメータ（線質、照射術式、ガントリー角度、コリメータ角度、テーブル角度、Ｗｅｄｇｅ、Ｄｅｐｔｈ、上絞り角度、下絞り角度、フィールドサイズ、回転開始角度、回転終了角度、回転方向、ＭＵ、線量、線量率、手計算ＤＭＵ、計画装置ＤＭＵ、ＤＭＵ誤差（手計算ＤＭＵ÷計画装置ＤＭＵ；治療精度チェックのため））など。
【００２９】
治療計画装置２２を用いて入力された照射基本情報は、インタフェース１１を介して放射線治療業務管理システム１に取り込まれ、治療前情報入力手段１２により治療方針に対応付けられて格納手段１４に格納される。ただし、画像データは照射基本情報と対応付けられて画像管理装置２３に格納される。また、フィールド情報は照射基本情報と対応付けられて照合装置２４に格納される。
【００３０】
プラン情報（照射基本情報）が作成されると、ユーザである医師あるいは技師は、治療計画装置、その他の端末装置を用いて、プラン情報に基づいた照射予約を取得する。照射予約はプラン情報で規定されたスケジュールに基づいて生成される。照射予約は、通常、１つのプラン情報に対し複数の予約から構成される。照射予約の取得時には、格納手段１４に格納されているプラン情報が、入力支援手段１６によって、参照手段１５およびインタフェース１１を介して端末装置に取り込まれ、その情報が適宜画面上に表示されるとともに、入力項目に引き継がれる。プラン情報は、上記の検索項目により、任意に検索することができ、この場合、入力支援手段１６は、参照手段１５を介して検索、抽出された情報を端末装置に与える。ユーザは端末装置の画面によりプラン情報を参照することができる。
【００３１】
照射予約の項目例を以下に示す。
（１）照射室名：プラン情報で決められた照射室が初期表示されるが、変更可能。
（２）予約日：予約が複数回ある場合には最初の日。
（３）連続：今回予約を取得する回数。
（４）曜日（月〜日）：一週間での実施曜日。プラン情報で決められたスケジュールで初期表示されるが、変更可能。
（５）時間指定：予定時間
（６）オンコール：病室への電話などでの呼び出し。時間を決めない場合に選択する。
（７）コメント
【００３２】
作成された照射予約は、治療実施情報としてインタフェース１１および治療実施情報入力手段１３を介して格納手段１４に格納される。
【００３３】
なお、格納手段１４に格納された照射予約は、参照手段１５によって、ユーザである受付が端末装置を用いて参照し、受付済みステータスを付与することができる。受付済みステータスは照射予約とともに格納手段１４に格納される。
【００３４】
照射予約の受付が済んだ後、治療が実施される。治療実施時には、格納手段１４に格納されている受付済みの照射予約、プラン情報（照射基本情報）あるいは治療方針が、参照手段１５およびインタフェース１１を介して照合装置２４に取り込まれ、その情報が適宜画面上に表示される。受付済みの照射予約、プラン情報および治療方針は、上記の検索項目により、任意に検索することができ、参照手段１５は検索、抽出された情報を照合装置２４に与える。ユーザである医師あるいは技師は照合装置２４の画面等によりプラン情報あるいは治療方針を参照しつつ、治療を実施できる。
【００３５】
治療終了後、照射実績情報は照合装置２４からインタフェース１１に向けて送信され、治療実施情報入力手段１３を介して格納手段１４に格納される。照射実績情報は、「放射線治療実績」に該当する。照射実績情報の内容は、上記プラン情報に含まれるフィールド情報に対応している。
【００３６】
照射実績情報は、ユーザが照合装置４２の画面上でフィールド情報を編集することにより、作成することもできる。作成された照射実績情報は、同様に格納手段１４に格納される。この場合、フィールド情報は、入力支援手段１６によって、参照手段１５およびインタフェース１１を介して照合装置２４に取り込まれ、その情報が適宜画面上に表示される。
【００３７】
格納手段１４に格納された照射実績情報は、照射録として管理、使用される。
【００３８】
照射録は、患者に対する放射線の総線量を身体部位ごとに管理するためのデータとしても使用される。照射実績情報には、線量や照射回数、照射の角度などが含まれているため、すべての照射実績情報を患者ごとに検索、抽出することで、照射された放射線の詳細な線量分布図を作成することができる。したがって、患者に対する放射線の総線量を身体部位ごとに管理できる。部位別総線量は格納手段１４に格納され、適時参照可能とされる。総線量は、治療ごとに管理、参照されるほか、複数治療における全累積線量を部位ごとに管理、参照できる。部位別総線量は、治療対象として被照射となる部位だけでなく、危険部位、ＣＴＶ、ＰＴＶ、ＧＴＶなどの標的体積に関しても被照射線量として管理できる。また、検査による被照射線量も併せて管理できる。
【００３９】
以上のように、本実施形態の放射線治療業務管理システムによれば、従来、手書きで作成し、あるいは周辺機器ごとに紙出力していた診療情報を共通の画面上で入力し、あるいは周辺機器から取得して一箇所のデータベースに統合できるため、効率的に診療情報を作成、管理することができる。また、種々の業務の各従事者が、治療業務の進捗状況を容易に把握することができる。したがって、一連の業務行為を円滑に行うことができる。
【００４０】
また、部位別総線量管理により、従来、紙の書類による運用では困難であった複数回の照射実績がある場合の被照射線量や、治療照射以外の被照射線量もデータとして蓄積できるため、被照射線量を高精度かつ容易に管理できる。
【００４１】
以上説明したように、本発明の放射線治療業務管理システムによれば、放射線治療前に治療方針または治療計画に関する情報である治療前情報および放射線治療の実施に関する情報である治療実施情報を患者に対応付けて格納し、格納された治療前情報および治療実施情報を、患者をキーとして検索し、ユーザに参照させることができるので、業務行為間で情報を共有しやすく、一連の業務を円滑に実行できる。また、本発明の放射線治療業務管理システムによれば、実施した放射線治療に関する情報である放射線治療実績を患者に対応付けて順次格納し、格納された前記放射線治療実績を、患者をキーとして検索し抽出することで、当該患者に対する放射線の総線量を身体部位ごとに管理するので、部位別被照射線量を高精度かつ容易に管理できる。
【００４２】
本発明の適用範囲は上記実施形態に限定されることはない。本発明は、放射線治療業務に必要な情報を管理する放射線治療業務管理システムおよび放射線治療業務管理方法に対し、広く適用することができる。
【図面の簡単な説明】
【００４３】
【図１】一実施形態の放射線治療業務管理システムの構成を示すブロック図。
【符号の説明】
【００４４】
１      放射線治療業務管理システム
１２    治療前情報入力手段
１３    治療実施情報入力手段
１４    格納手段
１５    参照手段
１６    入力支援手段
【図１】
2008262428.tif 000003